Podtech/llm-jp-corpus-v4-ja_patent huggingface dataset:
【手続補正書】
【提出日】平成21年5月22日(2009.5.22)
【手続補正１】
【補正対象書類名】特許請求の範囲
【補正対象項目名】全文
【補正方法】変更
【補正の内容】
【特許請求の範囲】
【請求項１】
複数の素電池を収納した電池パックを電源としたコードレス電動工具であって、
電動工具の被制御動作に関与する被検出因子を検出するためのセンサ、センサの検出出力を受けて電動工具の動作を制御する制御手段、及び被検出因子の情報を記憶する記憶手段を電池パック内に設けたことを特徴とするコードレス電動工具。
【請求項２】
複数の素電池を収納し、コードレス電動工具の電源となる電池パックであって、
電動工具の被制御動作に関与する被検出因子を検出するためのセンサ、センサの検出出力を受けて電動工具の動作を制御する制御手段、及び被検出因子の情報を記憶する記憶手段を内蔵したことを特徴とする電池パック。
【請求項３】
モータと、
前記モータに接続される減速機構と、
前記減速機構に接続されるハンマと、
前記ハンマにより打撃されるアンビルと、
複数の素電池を収納した電池パックと、
前記モータと前記素電池との間に設けられるスイッチング手段と、
電源スイッチと、を有し、
前記アンビルによりボルト等を回転打撃する回転打撃工具であって、
前記電源スイッチの上方に、前記モータ、前記減速機構、前記ハンマ及び前記アンビルを配置し、
前記電源スイッチの下方に、打撃検出手段を配置したことを特徴とする回転打撃工具。
【請求項４】
マイコンを有し、
前記打撃検出手段の検出出力に基づいて、前記マイコンを介して前記スイッチング手段を制御することを特徴とする請求項３記載の回転打撃工具。
【手続補正２】
【補正対象書類名】明細書
【補正対象項目名】０００８
【補正方法】変更
【補正の内容】
【０００８】
請求項２記載の電池パックは、電動工具の被制御動作に関与する被検出因子を検出するためのセンサ、センサの検出出力を受けて電動工具の動作を制御する制御手段、及び被検出因子の情報を記憶する記憶手段を内蔵したことを特徴としている。
かかる構成の電池パックによれば、既存の電動工具に電池パックを取り付けるだけで電動工具を制御することが可能になり、既存の電動工具の制御が容易になる。
請求項３記載の回転打撃工具は、モータと、前記モータに接続される減速機構と、前記減速機構に接続されるハンマと、前記ハンマにより打撃されるアンビルと、複数の素電池を収納した電池パックと、前記モータと前記素電池との間に設けられるスイッチング手段と、電源スイッチと、を有し、前記アンビルによりボルト等を回転打撃する回転打撃工具であって、前記電源スイッチの上方に、前記モータ、前記減速機構、前記ハンマ及び前記アンビルを配置し、前記電源スイッチの下方に、打撃検出手段を配置したことを特徴とする。
また、請求項４記載の回転打撃工具は、請求項３の回転打撃工具であって、マイコンを有し、前記打撃検出手段の検出出力に基づいて、前記マイコンを介して前記スイッチング手段を制御することを特徴とする。
【手続補正書】
【提出日】平成21年5月29日(2009.5.29)
【手続補正１】
【補正対象書類名】特許請求の範囲
【補正対象項目名】全文
【補正方法】変更
【補正の内容】
【特許請求の範囲】
【請求項１】
図柄を表示可能な機械式表示器および電気式表示器を備え、これらの機械式表示器および電気式表示器の組み合わせで所定の図柄の組み合わせが表示されると大当たり遊技を実現するように構成された遊技機であって、
所定の動作条件を満たすことを契機として、前記電気式表示器に表示される図柄との組み合わせが前記所定の図柄の組み合わせとはなり得ない図柄を表示した状態で前記機械式表示器の動作を停止させる動作制御手段を有する遊技機。
【請求項２】
請求項１に記載した遊技機であって、
所定の切替条件を満たすことを契機として、所定の図柄の組み合わせが表示可能な数の図柄を電気式表示器に表示するように切り替える表示切替手段を有する遊技機。
【請求項３】
請求項１または請求項２に記載した遊技機であって、
機械式表示器は複数の可変表示体を備え、動作制御手段は前記複数の可変表示体にそれぞれ表示される図柄同士の組み合わせが所定の図柄の組み合わせの一部を構成しないような図柄を表示した状態で前記機械式表示器の動作を停止させる遊技機。
【請求項４】
請求項１から請求項３のいずれか一項に記載した遊技機であって、
機械式表示器に向けて照らす照明手段を備え、動作制御手段は機械式表示器の動作を停止させるとともに前記照明手段を消灯する遊技機。
【請求項５】
請求項１から請求項４のいずれか一項に記載した遊技機であって、
動作制御手段は、機械式表示器が所定の図柄の組み合わせを構成しないハズレ図柄を表示可能に構成されていた場合には、当該ハズレ図柄を表示した状態で前記機械式表示器の動作を停止させる遊技機。
【請求項６】
請求項１から請求項５のいずれか一項に記載した遊技機であって、
動作制御手段は、所定の図柄の組み合わせが表示されたか否かを判断する有効ラインがある場合には、当該有効ラインから外れた位置に図柄を表示した状態で前記機械式表示器の動作を停止させる遊技機。
【請求項７】
図柄を表示可能な機械式表示器および電気式表示器を備え、これらの機械式表示器および電気式表示器の組み合わせで所定の図柄の組み合わせが表示されると大当たり遊技を実現するように構成された遊技機であって、
所定の動作条件を満たすことを契機として、図柄を視認不能な形態で前記機械式表示器の動作を制御する動作制御手段を有する遊技機。
【手続補正書】
【提出日】平成20年12月18日(2008.12.18)
【手続補正１】
【補正対象書類名】特許請求の範囲
【補正対象項目名】全文
【補正方法】変更
【補正の内容】
【特許請求の範囲】
【請求項１】
酸素よりも窒素を選択的に吸着する吸着剤を充填した吸着塔、該吸着塔に加圧空気を供給および／または吸着塔を減圧する機能を備えたポンプ手段、並びに該ポンプ手段を取り囲むボックス手段を備えた酸素濃縮装置において、該ボックス手段に冷却風を発生させる発生手段を備えることを特徴とする酸素濃縮装置。
【請求項２】
酸素よりも窒素を選択的に吸着する吸着剤を充填した吸着塔、該吸着塔に加圧空気を供給および／または吸着塔を減圧する機能を備えたポンプ手段、並びに該ポンプ手段を取り囲むボックス手段を備えた酸素濃縮装置において、該ボックス手段内を負圧にするファン、および該ボックス手段に該ポンプ手段の任意の場所に吹き付ける噴流を発生させる複数の細孔を備え、且つ該細孔における風流の風速が１５ｍ／ｓｅｃ以下となる細孔口径およびファン排気風量を有することを特徴とする酸素濃縮装置。
【請求項３】
該ファン及び該細孔が、該コンプレッサの消費電力に対する該細孔における風速が０．０５ｍ／ｓｅｃ・Ｗ以上である送風能力及び細孔であることを特徴とする請求項２に記載の酸素濃縮装置。
【請求項４】
該ファン及び該細孔が、該コンプレッサの消費電力に対する該細孔における風速が０．１ｍ／ｓｅｃ・Ｗ以下である送風能力及び細孔ことを特徴とする請求項３に記載の酸素濃縮装置。
【請求項５】
該ファンが、酸素濃縮装置の設定使用環境である最大外気温度と該ポンプ手段の表面温度との差が３０℃以下となる冷却風量を有する送風能力を有することを特徴とする請求項２〜４のいずれか一項に記載の酸素濃縮装置。
【請求項６】
該細孔は、該ポンプ手段に垂直に噴流を吹き付けるために、該ポンプ手段に対して垂直に備えられていることを特徴とする請求項２〜５のいずれか一項に記載の酸素濃縮装置。
【手続補正書】
【提出日】平成21年3月2日(2009.3.2)
【手続補正１】
【補正対象書類名】明細書
【補正対象項目名】特許請求の範囲
【補正方法】変更
【補正の内容】
【特許請求の範囲】
【請求項１】  それぞれ配向膜を対向させて所定間隔に保たれた一対の基板を備え、前記配向膜間に液晶層が挿入されてなる液晶表示装置であって、
前記配向膜は、前記液晶層の液晶分子に対して所定の初期配向性を与え、紫外線照射に応じたプレチルト角の変化率の異なる少なくとも２種類のポリマーを含む材料からなることを特徴とする液晶表示装置。
【請求項２】  前記配向膜は、前記各ポリマーの混合物を含む材料からなるものであることを特徴とする請求項１に記載の液晶表示装置。
【請求項３】  前記配向膜は、前記各ポリマーの共重合体を含む材料からなることを特徴とする請求項１に記載の液晶表示装置。
【請求項４】  前記２種類のポリマーの一方は、前記紫外線照射に応じて、液晶分子の配向を初期状態から変化するものであり、前記２種類のポリマーの他方は、液晶分子の配向の初期状態を維持するものであることを特徴とする請求項１に記載の液晶表示装置。
【請求項５】  前記紫外線照射に応じて、液晶分子の配向を初期状態から変化するポリマーは、初期配向が垂直配向であることを特徴とする請求項４に記載の液晶表示装置。
【請求項６】  前記初期配向が垂直配向であるポリマーは、側鎖にアルキル基を有していることを特徴とする請求項５に記載の液晶表示装置。
【請求項７】  前記２種類のポリマーは、垂直配向ポリイミド又はポリアミック酸を含有することを特徴とする請求項１に記載の液晶表示装置。
【請求項８】  一対の基板にそれぞれ配向膜を形成し、前記各配向膜を対向させるように前記配向膜間に液晶層を挿入し、前記各基板間隔を一定に保持して液晶表示装置を製造する方法であって、
前記配向膜を、前記液晶層の液晶分子に対して初期配向性を与え、紫外線照射に応じたプレチルト角の変化の異なる少なくとも２種類のポリマーを含む材料から構成して前記一対の基板に塗布し、
前記配向膜の表面に対して斜め方向から紫外線を照射し、前記液晶層の液晶分子に対して所望の配向を実現することを特徴とする液晶表示装置の製造方法。
【請求項９】  配向膜に紫外線を照射し、前記配向膜上に設けられる液晶を配向させる配向処理装置であって、
紫外線の散乱光を照射する光源と、前記光源下に設けられ、スリットが形成された光学マスクとを備え、
前記光学マスクを前記配向膜の上方に配置し、前記光源から前記光学マスクに散乱光を照射することにより、前記スリットを中心として拡がる拡散光を生成し、当該拡散光を前記配向膜に照射して、前記液晶に拡散光の拡散方向に依存した分割配向を生ぜしめることを特徴とする配向処理装置。
【請求項１０】  それぞれ配向膜を対向させて所定間隔に保たれた一対の基板を備え、前記配向膜間に液晶層が挿入されてなる液晶表示装置であって、
前記液晶に所定の境界において複数の分割配向が施されており、
前記配向膜の表面エネルギーは、前記配向分割の境界において最大値又は最小値となり、境界から離れるほど小さく又は大きくなることを特徴とする液晶表示装置。
【請求項１１】  配向膜に紫外線を照射し、前記配向膜上に設けられる液晶を配向させる配向処理方法であって、
スリットが形成された光学マスクを前記配向膜の上方に配置し、紫外線の散乱光を照射する光源から前記光学マスクに散乱光を照射することにより、前記スリットを中心として拡がる拡散光を生成し、当該拡散光を前記配向膜に照射して、前記液晶に拡散光の拡散方向に依存した分割配向を生ぜしめることを特徴とする配向処理方法。
【請求項１２】  配向膜に紫外線を照射し、前記配向膜上に設けられる液晶を配向させる配向処理装置であって、
紫外線を照射する光源と、
前記光源下に設けられ、スリットが形成されるとともに紫外線の散乱機構を有する光学マスクとを備え、
前記光学マスクを前記配向膜の上方に配置し、前記光源から前記光学マスクに紫外線を照射することにより、前記スリットを中心として拡がる拡散光を生成し、当該拡散光を前記配向膜に照射して、前記液晶に拡散光の拡散方向に依存した分割配向を生ぜしめることを特徴とする配向処理装置。
【請求項１３】  それぞれ配向膜を対向させて所定間隔に保たれた一対の基板を備え、前記配向膜間に液晶層が挿入されてなる液晶表示装置であって、
一方の前記基板に画素電極が形成されており、前記画素電極の端部に相当する部位の液晶分子に、当該端部で発生する電界による配向を打ち消す方向へ向かう配向規制力が与えられていることを特徴とする液晶表示装置。
【請求項１４】  それぞれ配向膜を対向させて所定間隔に保たれた一対の基板を備え、前記配向膜間に液晶層が挿入されてなる液晶表示装置を製造するに際して、
一方の前記基板に形成された画素電極の端部に相当する部位の液晶分子に、当該端部で発生する電界による配向を打ち消す方向へ向かう配向規制力を与えることを特徴とする液晶表示装置の製造方法。
【請求項１５】  それぞれ配向膜を対向させて所定間隔に保たれた一対の基板を備え、前記配向膜間に液晶層が挿入されてなる液晶表示装置であって、
一方の前記基板に、画素電極と当該画素電極間に形成されたバスラインとを有し、前記画素電極の前記バスライン近傍に当該バスラインに略平行なスリットが形成されていることを特徴とする液晶表示装置。
【手続補正２】
【補正対象書類名】明細書
【補正対象項目名】００１５
【補正方法】変更
【補正の内容】
【００１５】
第１の態様は、それぞれ配向膜を対向させて所定間隔に保たれた一対の基板を備え、前記配向膜間に液晶層が挿入されてなる液晶表示装置を対象とする。この液晶表示装置では、前記配向膜は、前記液晶層の液晶分子に対して所定の初期配向性を与え、紫外線照射に応じたプレチルト角の変化率の異なる少なくとも２種類のポリマーを含む材料からなる。
【手続補正３】
【補正対象書類名】明細書
【補正対象項目名】００１８
【補正方法】変更
【補正の内容】
【００１８】
第２の態様は、前記液晶表示装置を製造する方法である。即ち、一対の基板にそれぞれ配向膜を形成し、前記各配向膜を対向させるように前記配向膜間に液晶層を挿入し、前記各基板間隔を一定に保持して液晶表示装置を製造するに際して、前記配向膜を、前記液晶層の液晶分子に対して初期配向性を与え、紫外線照射に応じたプレチルト角の変化の異なる少なくとも２種類のポリマーを含む材料から構成して前記一対の基板に塗布し、前記配向膜の表面に対して斜め方向から紫外線を照射し、前記液晶層の液晶分子に対して所望の配向を実現する。
【手続補正書】
【提出日】平成21年10月21日(2009.10.21)
【手続補正１】
【補正対象書類名】特許請求の範囲
【補正対象項目名】全文
【補正方法】変更
【補正の内容】
【特許請求の範囲】
【請求項１】
像担持体上に静電潜像を形成する潜像形成手段、静電潜像にトナー像を形成する現像手段、トナー像を転写材に転写する転写手段、転写材に転写されたトナー像を前記転写材に定着させる定着手段を備える画像形成装置において、
圧電トランスと、前記圧電トランスを駆動する駆動手段と、前記圧電トランスの出力電圧を設定する出力電圧設定手段と、前記圧電トランスからの出力を検出する出力検出手段と、前記出力検出手段で検出された信号と前記出力電圧設定手段の制御信号に応じて、前記駆動手段に周波数信号を出力して前記圧電トランスから出力される電圧を制御する出力制御手段とを有する圧電トランス式高圧電源を具備し、
前記出力制御手段の前記出力電圧設定手段側の入力段に少なくとも１つ以上の抵抗を設け、前記抵抗の内の少なくとも１つ以上に、整流素子を並列に接続した
ことを特徴とする画像形成装置。
【請求項２】
前記圧電トランス式高圧電源装置は、前記潜像形成手段、現像手段、転写手段に対し高圧電圧を印加することを特徴とする請求項１に記載の画像形成装置。
【請求項３】
前記整流素子は、そのアノードを前記制御信号の入力側に接続したことを特徴とする請求項１または請求項２に記載の画像形成装置。
【請求項４】
前記整流素子は、そのカソードを前記制御信号の入力側に接続したことを特徴とする請求項１または請求項２に記載の画像形成装置。
【請求項５】
前記出力制御手段の前記入力段に少なくとも１つ以上の抵抗を設け、前記抵抗の内の少なくとも１つ以上に整流素子を並列に接続することは、
前記出力制御手段の前記入力段に設けられた少なくとも１つ以上の抵抗に対して、前記整流素子のアノードを前記制御信号の入力側として並列に接続するとともに、前記整流素子のカソードを前記制御信号の入力側として並列に接続したことを含むことを特徴とする請求項１または請求項２に記載の画像形成装置。
【請求項６】
前記整流素子として、整流ダイオードを用いたことを特徴とする請求項１から請求項５のいずれかに記載の画像形成装置。
【請求項７】
前記整流素子として、定電圧ダイオードを用いたことを特徴とする請求項１または請求項２に記載の画像形成装置。
【請求項８】
圧電トランスを用い高圧電圧を供給する高圧電源装置において、
圧電トランスと、
前記圧電トランスを駆動する駆動手段と、
前記圧電トランスの出力電圧を設定する出力電圧設定手段と、
前記圧電トランスからの出力を検出する出力検出手段と、
前記出力検出手段で検出された信号と前記出力電圧設定手段の制御信号に応じて、前記駆動手段に周波数信号を出力して前記圧電トランスから出力される電圧を制御する出力制御手段とを備え、前記出力制御手段の入力段に少なくとも１つ以上の抵抗を設け、前記抵抗の内の少なくとも１つ以上に、整流素子を並列に接続したことを特徴とする圧電トランス式高圧電源装置。
【手続補正２】
【補正対象書類名】明細書
【補正対象項目名】００１４
【補正方法】変更
【補正の内容】
【００１４】
上記目的を達成するため、本発明は、像担持体上に静電潜像を形成する潜像形成手段、静電潜像にトナー像を形成する現像手段、トナー像を転写材に転写する転写手段、転写材に転写されたトナー像を前記転写材に定着させる定着手段を備える画像形成装置において、圧電トランスと、前記圧電トランスを駆動する駆動手段と、前記圧電トランスの出力電圧を設定する出力電圧設定手段と、前記圧電トランスからの出力を検出する出力検出手段と、前記出力検出手段で検出された信号と前記出力電圧設定手段の制御信号に応じて、前記駆動手段に周波数信号を出力して前記圧電トランスから出力される電圧を制御する出力制御手段とを有する圧電トランス式高圧電源を具備し、前記出力制御手段の前記出力電圧設定手段側の入力段に少なくとも１つ以上の抵抗を設け、前記抵抗の内の少なくとも１つ以上に、整流素子を並列に接続したことを特徴とする。  
前記圧電トランス式高圧電源装置は、前記潜像形成手段、現像手段、転写手段に対し高圧電圧を印加することができる。
【手続補正３】
【補正対象書類名】明細書
【補正対象項目名】００１５
【補正方法】変更
【補正の内容】
【００１５】
前記整流素子は、そのアノードを前記制御信号の入力側に接続することが好ましい。  
または、前記整流素子は、そのカソードを前記制御信号の入力側に接続することが好ましい。
または、前記出力制御手段の前記入力段に少なくとも１つ以上の抵抗を設け、前記抵抗の内の少なくとも１つ以上に整流素子を並列に接続することは、前記出力制御手段の前記入力段に設けられた少なくとも１つ以上の抵抗に対して、前記整流素子のアノードを前記制御信号の入力側として並列に接続するとともに、前記整流素子のカソードを前記制御信号の入力側として並列に接続したことを含むことが好ましい。  
また、前記整流素子として、整流ダイオードを用いることが好ましい。  
また、前記整流素子として、定電圧ダイオードを用いることが好ましい。
【手続補正４】
【補正対象書類名】明細書
【補正対象項目名】００１６
【補正方法】変更
【補正の内容】
【００１６】
また、本発明の圧電トランス式高圧電源装置は、圧電トランスを用い高圧電圧を供給する高圧電源装置において、圧電トランスと、前記圧電トランスを駆動する駆動手段と、前記圧電トランスの出力電圧を設定する出力電圧設定手段と、前記圧電トランスからの出力を検出する出力検出手段と、前記出力検出手段で検出された信号と前記出力電圧設定手段の制御信号に応じて、前記駆動手段に周波数信号を出力して前記圧電トランスから出力される電圧を制御する出力制御手段とを備え、前記出力制御手段の入力段に少なくとも１つ以上の抵抗を設け、前記抵抗の内の少なくとも１つ以上に、整流素子を並列に接続したことを特徴とする。
【手続補正書】
【提出日】平成21年1月30日(2009.1.30)
【手続補正１】
【補正対象書類名】特許請求の範囲
【補正対象項目名】全文
【補正方法】変更
【補正の内容】
【特許請求の範囲】
【請求項１】
第1の無線ネットワークが使用する周波数に関する情報を第2の無線ネットワークのデバイスで保持するステップと、
スペクトル拡散技術を使用して前記第2の無線ネットワークで通信するステップと、
前記保持された情報に関連付けられた周波数を除外するためにスペクトル拡散技術を制御するステップと
を備える方法。
【請求項２】
前記情報は、ユーザーからユーザーインターフェイスを介して取得される請求項1に記載の方法。
【請求項３】
前記ユーザーインターフェイスは、手動のユーザーインターフェイスを備える請求項2に記載の方法。
【請求項４】
前記手動のユーザーインターフェイスは、ボタンを備える請求項3に記載の方法。
【請求項５】
前記手動のユーザーインターフェイスは、ビジュアルインディケータを備える請求項3に記載の方法。
【請求項６】
前記情報は、前記第1の無線システムに接続することによって取得される請求項1に記載の方法。
【請求項７】
前記第1の無線システムの動作チャネルを導出するステップをさらに備える請求項6に記載の方法。
【請求項８】
前記情報は、前記第1の無線システムのシグネチャを認識することによって取得される請求項1に記載の方法。
【請求項９】
前記第2の無線ネットワークによる無線通信を中断するステップと、
前記中断中に前記第1の無線システムの動作周波数を確認するステップと
をさらに備える請求項1に記載の方法。
【請求項１０】
前記情報は、前記第1の無線システムからの送信が前記第2の無線システムによって検出することができないときに、前記第1の無線ネットワークのアクティブな動作周波数を確認するために、前記第2の無線ネットワークによって取得される請求項1に記載の方法。
【請求項１１】
前記情報は、前記第1の無線システムからの送信が前記第2の無線システムの機能を妨害しないときに、前記第1の無線ネットワークのアクティブな動作周波数を確認するために、前記第2の無線ネットワークによって取得される請求項1に記載の方法。
【請求項１２】
前記情報は、前記第2の無線システムからの送信が前記第1の無線システムの機能を妨害しないときに、前記第1の無線ネットワークのアクティブな動作周波数を確認するために、前記第2の無線ネットワークによって取得される請求項1に記載の方法。
【請求項１３】
前記情報は、前記第2のシステムが送信していないときに、前記第1の無線ネットワークのアクティブな動作周波数を確認するために、前記第2の無線ネットワークによって取得される請求項1に記載の方法。
【請求項１４】
前記第1の無線ネットワークが使用する周波数に関する情報を確認する手段と、
使用中の、スペクトル拡散技術を使用して、前記確認された周波数が第2の無線ネットワークによって回避されるのを可能にする制御信号を生成する手段と
を備える装置。
【請求項１５】
前記第1の無線ネットワークが使用する周波数に関する情報を確認する識別デバイスと、
スペクトル拡散技術を使用して送信する前記第2のネットワークの送信デバイスと、
前記送信デバイスに前記第2の無線ネットワークによって確認された周波数を回避させるようにする制御信号を受信するコントローラと
をさらに備える請求項14に記載の装置。
【請求項１６】
前記識別デバイスは、手動のユーザーインターフェイスを備える請求項15に記載の装置。
【手続補正書】
【提出日】平成21年2月3日(2009.2.3)
【手続補正１】
【補正対象書類名】特許請求の範囲
【補正対象項目名】全文
【補正方法】変更
【補正の内容】
【特許請求の範囲】
【請求項１】
リバース・リンク・オーバーロード制御方法であって、
少なくとも１つの機能停止事象メトリックおよびフレーム中に率低減が起こったかどうかを示すオーバーロード制御履歴に基づいてオーバーロード制御閾値を調節すること（Ｓ１０〜Ｓ２６）と、
前記オーバーロード制御閾値に基づいて、オーバーロード制御を実施することとを備える、方法。
【請求項２】
前記機能停止メトリックが、制御チャネル上のいくつかの消去に基づく、請求項１に記載の方法。
【請求項３】
前記制御チャネルが、データ率制御チャネルおよび率要求インジケータ・チャネルの一方である、請求項２に記載の方法。
【請求項４】
セクタの各活動制御チャネルのいくつかの消去に基づいて、フレームあたりの前記機能停止メトリックを決定することをさらに備える、請求項３に記載の方法。
【請求項５】
前記機能停止メトリックが、少なくとも１つの専用チャネル上で受信される不良フレームの数に基づく、請求項１に記載の方法。
【請求項６】
セクタの活動ユーザのデータ・トラフィック・チャネルから受信されたいくつかの不良フレームに基づいて、フレーム持続時間あたりの前記機能停止メトリックを決定することをさらに備える、請求項５に記載の方法。
【請求項７】
前記機能停止メトリックが、フレーム中の受信信号強度表示の分数である、請求項１に記載の方法。
【請求項８】
前記オーバーロード制御履歴が、率低減が行われなかったことを示す場合、前記調節工程が、前記オーバーロード制御閾値を変更しないままとする、請求項１に記載の方法。
【請求項９】
前記オーバーロード制御履歴が、少なくとも１つの率低減が行われたことを示し、かつ前記機能停止メトリックが、機能停止事象を示す場合、前記調節工程が、前記オーバーロード制御閾値を低減する、請求項１に記載の方法。
【請求項１０】
前記オーバーロード制御履歴が、少なくとも１つの率低減が行われたことを示し、かつ前記機能停止メトリックが、機能停止事象を示さない場合、前記調節工程が、前記オーバーロード制御閾値を増大させる、請求項１に記載の方法。
【請求項１１】
前記オーバーロード制御履歴が、フレーム中に少なくとも１つの率低減が行われたことを示し、前記機能停止メトリックが、前記フレーム中に機能停止事象を示さず、新しいコールが、前記フレーム中に入っておらず、率低減が、少なくとも１つの先行フレームにおいて行われている場合、前記調節工程が、前記オーバーロード制御閾値を増大させる、請求項１に記載の方法。
【請求項１２】
サービング領域の複数のアクセス端末が沈黙間隔を支持するかを判定することであり、前記沈黙間隔の間のアクセス端末から受信される消去の数が閾値以下の場合、前記アクセス端末が前記沈黙間隔を支持しないとし、
前記判定に基づいて、雑音フロア推定を選択することとを備える、雑音フロア選択方法。
【手続補正書】
【提出日】平成20年12月24日(2008.12.24)
【手続補正１】
【補正対象書類名】特許請求の範囲
【補正対象項目名】全文
【補正方法】変更
【補正の内容】
【特許請求の範囲】
【請求項１】
モバイル装置（１２０）用のセルラー通信ネットワーク（１００）で使用するための統合型基地局であって、
前記統合型基地局（１３０）は、単一の処理用エンティティ内に無線通信ネットワーク制御機能および基地局としての機能の両方を有し、メディア・アクセス制御層と物理層で構成されるプロトコル・スタック（１３８）を含む通信用プロセッサ（１３４）を有する
ことを特徴とする統合型基地局。
【請求項２】
前記通信用プロセッサが、有線チャネルと無線チャネル間のデータ・ユニットを待ち行列に入れる（ｑｕｅｕｅ）ように構成されている、前記プロトコル・スタックに関連する単一のバッファをさらに含む、請求項１記載の統合型基地局。
【請求項３】
前記バッファが、前記プロトコル・スタックのインターネット・プロトコル層へデータ・ユニットを入れる、およびそこからデータ・ユニットを取り出すように構成されている、請求項２記載の統合型基地局。
【請求項４】
前記プロトコル・スタックは、モバイル装置への伝送のためにモバイル装置が選択される時に基づいて前記データ・ユニットのうちの少なくとも１つに関するタイムリー・データを生成するように構成され、
前記タイムリー・データが、前記セルラー通信ネットワークにわたるデータ伝送のために使用されるデータまたはデータ伝送へ組み込まれるデータであり、時間とともに減少する前記セルラー通信ネットワークの最良のパフォーマンスに関連する値を有する、請求項２記載の統合型基地局。
【請求項５】
前記プロトコル・スタックは、モバイル装置への伝送のためにモバイル装置が選択される時に前記データ・ユニットのうちの少なくとも１つに関するタイムリー・データを生成するだけのために構成され、
前記タイムリー・データが、前記セルラー通信ネットワークにわたるデータ伝送のために使用されるデータまたはデータ伝送へ組み込まれるデータであり、時間とともに減少する前記セルラー通信ネットワークの最良のパフォーマンスに関連する値を有する、請求項２記載の統合型基地局。
【請求項６】
前記プロトコル・スタックが、パケット・データ・コンバージェンス・プロトコル層及び無線通信リンク制御層からなるグループから選択されたメディア・アクセス制御層上に少なくとも１つの層を含む、請求項１記載の統合型基地局。
【請求項７】
前記メディア・アクセス制御層および前記物理層へ割り込む少なくとも１つのプロトコル層をさらに含む、請求項１記載の統合型基地局。
【請求項８】
有線コア・ネットワーク（１１０）および、前記有線コア・ネットワークとモバイル装置（１２０）間の無線ネットワークを有する通信システム（１００）におけるデータ・ユニットを伝送する方法であって、
前記有線コア・ネットワーク（１１０）または前記モバイル装置（１２０）のいずれかから統合型基地局（１３０）においてデータ・ユニットを受信するステップであって、前記統合型基地局（１３０）は単一の処理用エンティティ内に無線ネットワーク制御機能および基地局機能の二つを含む、ステップ、
前記統合型基地局（１３０）において、有線ドメインおよび無線ドメイン間の通信に必要な要求されるプロトコルを前記データ・ユニットへ提供するステップ、
前記有線コア・ネットワーク（１１０）と前記モバイル装置（１２０）間の直接伝送のために、前記有線ネットワークと無線ネットワークの伝送速度の差を整合するために、前記データ・ユニットを前記統合型基地局における単一のバッファ（２６０）によりバッファリングするステップ、そして、
前記有線コア・ネットワーク（１１０）または前記モバイル装置（１２０）へ、前記要求されたプロトコルを有する前記データ・ユニットを伝送するステップ、
により特徴付けられる方法。
【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
発射手段により打ち込まれる遊技球が転動可能な遊技領域を有する遊技盤を備えた遊技機において、
前記遊技盤は、
正面視した状態で貫通孔が設けられた遊技盤本体と、
前記遊技盤本体の前面側で前記貫通孔の開口を塞ぐ箇所に少なくとも設けられる、絵柄が描かれた部材または着色された部材である絵柄部材と、
を備え、
前記絵柄部材は、当該絵柄部材の前記貫通孔の開口を塞ぐ箇所である被照射箇所を少なくとも透光性としたものであり、
前記遊技盤の遊技領域面の裏面側に備えられた、前記絵柄部材の被照射箇所に向けて光を発する発光手段と、
前記発光手段から発せられた光を拡散させて前記絵柄部材の被照射箇所に出射する拡散手段と、
を備えている
ことを特徴とする遊技機。
【請求項２】
請求項１に記載の遊技機において、
前記拡散手段は、光が入力される入光面と光が出力される出光面とを有する光透過体を備え、
前記光透過体の出光面は凹凸状であることを特徴とする遊技機。
【請求項３】
請求項２に記載の遊技機において、
前記発光手段は、
光を発する発光素子と、
前記発光素子が電気的に接続された発光素子基板とを、
備え、
前記拡散手段は、その入光面側に前記発光素子を収納する発光素子収納部を備えていることを特徴とする遊技機。
【請求項４】
請求項１から３のいずれか一つに記載の遊技機において、
前記遊技盤の遊技領域面の反対面側に、前記発光手段を取付ける取付手段を備え、
前記発光手段は、
光を発する発光素子と、
前記発光素子が電気的に接続された発光素子基板とを、
備え、
前記取付手段は、前記発光素子が挿入配置される発光素子孔を備え、
前記発光素子孔は、その内周面を光反射面とし、この反射面で反射された光が前記貫通孔に向かうように配設されている
ことを特徴とする遊技機。
【請求項５】
請求項４に記載の遊技機において、
前記遊技盤に打ち込まれた遊技球を集めて排出する集合部材を備え、
前記集合部材は、前記取付手段を収納する窪み部を備え、
前記集合部材は、前記取付手段の発光素子孔と前記貫通孔との位置が合うように、前記遊技盤本体の遊技領域面の反対面側に固定されている
ことを特徴とする遊技機。
【手続補正書】
【提出日】平成21年6月5日(2009.6.5)
【手続補正１】
【補正対象書類名】特許請求の範囲
【補正対象項目名】全文
【補正方法】変更
【補正の内容】
【特許請求の範囲】
【請求項１】
音声付き動画の撮影記録機能を有する動画撮影装置において、
屋内での撮影に適した第１の撮影条件と屋外での撮影に適した第２の撮影条件とを含む複数の撮影条件を選択的に設定して前記音声付き動画における動画データの記録を行う動画記録手段と、
屋内での録音に適した第１の録音条件と屋外での録音に適した第２の録音条件とを含む複数の録音条件を選択的に設定して前記音声付き動画における音声データの記録を行う音声記録手段と、
撮像手段により撮像された被写体画像に基づいて屋内と屋外を含む複数の撮影環境を判定する判定手段と、
前記判定手段により撮影環境が屋内であると判別された場合には、前記動画記録手段により前記第１の撮影条件を設定して動画データの記録を行うとともに、前記音声記録手段により前記第１の録音条件を設定して音声データの記録を行い、前記判定手段により撮影環境が屋外であると判別された場合には、前記動画記録手段により前記第２の撮影条件を設定して動画データの記録を行うとともに、前記音声記録手段により前記第２の録音条件を設定して音声データの記録を行う制御手段と、
を備えたことを特徴とする動画撮影装置。
【請求項２】
前記録音条件は、入力音声に含まれる風切り音の除去を行う風切音フィルタの使用の有無を含むことを特徴とする請求項１記載の動画撮影装置。
【請求項３】
前記第２の録音条件は、入力音声に含まれる風切り音の除去を行う風切音フィルタを有効にした録音条件であり、前記第１の録音条件は、前記風切音フィルタを無効にした録音条件であることを特徴とする請求項２記載の動画撮影装置。
【請求項４】
前記撮影条件は、光源の種類に対応したオートホワイトバランス処理の実行の有無を含むことを特徴とする請求項３記載の動画撮影装置。
【請求項５】
音声付き動画の撮影記録を制御する動画撮影方法において、
屋内での撮影に適した第１の撮影条件と屋外での撮影に適した第２の撮影条件とを含む複数の撮影条件を選択的に設定可能であるとともに、屋内での録音に適した第１の録音条件と屋外での録音に適した第２の録音条件とを含む複数の録音条件を選択的に設定可能であり、
撮像手段により撮像された被写体画像に基づいて屋内と屋外を含む複数の撮影環境を判定し、
この判定により撮影環境が屋内であると判別された場合には、前記動画記録手段により前記第１の撮影条件を設定して動画データの記録を行うとともに、前記音声記録手段により前記第１の録音条件を設定して音声データの記録を行い、この判定により撮影環境が屋外であると判別された場合には、前記動画記録手段により前記第２の撮影条件を設定して動画データの記録を行うとともに、前記音声記録手段により前記第２の録音条件を設定して音声データの記録を行う
ことを特徴とする動画撮影方法。
【請求項６】
音声付き動画の撮影記録を制御する動画撮影装置が有するコンピュータを、
屋内での撮影に適した第１の撮影条件と屋外での撮影に適した第２の撮影条件とを含む複数の撮影条件を選択的に設定して前記音声付き動画における動画データの記録を行う動画記録手段と、
屋内での録音に適した第１の録音条件と屋外での録音に適した第２の録音条件とを含む複数の録音条件を選択的に設定して前記音声付き動画における音声データの記録を行う音声記録手段と、
撮像手段により撮像された被写体画像に基づいて屋内と屋外を含む複数の撮影環境を判定する判定手段と、
前記判定手段により撮影環境が屋内であると判別された場合には、前記動画記録手段により前記第１の撮影条件を設定して動画データの記録を行うとともに、前記音声記録手段により前記第１の録音条件を設定して音声データの記録を行い、前記判定手段により撮影環境が屋外であると判別された場合には、前記動画記録手段により前記第２の撮影条件を設定して動画データの記録を行うとともに、前記音声記録手段により前記第２の録音条件を設定して音声データの記録を行う制御手段と、
して機能させるためのプログラム。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正書】
【提出日】平成21年1月13日(2009.1.13)
【手続補正１】
【補正対象書類名】特許請求の範囲
【補正対象項目名】全文
【補正方法】変更
【補正の内容】
【特許請求の範囲】
【請求項１】
洗浄槽内の洗浄水の下限水位及びこの下限水位より高い洗浄水位を検出するための水位検出手段と、
洗浄槽内の洗浄水を加熱する発熱体と、
該発熱体に通電する発熱体通電回路と、
前記水位検出手段により洗浄水位が検出されると前記発熱体通電回路から前記発熱体に通電させ、下限水位が検出されたときは前記発熱体への通電を停止させる制御手段と
を備えたことを特徴とする食器洗浄機。
【請求項２】
洗浄槽内の洗浄水の下限水位及びこの下限水位より高い洗浄水位を検出するための水位検出手段と、
洗浄槽内の洗浄水を加熱する発熱体と、
該発熱体に通電する発熱体通電回路と、
前記水位検出手段が下限水位を検出していないとき前記発熱体通電回路を電源と接続する電源制御回路と、
前記水位検出手段により洗浄水位が検出されると前記発熱体通電回路から前記発熱体に通電させる制御手段とを備え、
前記電源制御回路は、前記発熱体が通電されているときに、前記水位検出手段により下限水位が検出されると前記発熱体通電回路を電源から切り離し、前記発熱体への通電を停止させることを特徴とする食器洗浄機。
【請求項３】
前記水位検出手段により検出される下限水位は、前記発熱体の位置より高い又はほぼ同じ高さであることを特徴とする請求項１又は２記載の食器洗浄機。
【手続補正書】
【提出日】平成21年2月6日(2009.2.6)
【手続補正１】
【補正対象書類名】特許請求の範囲
【補正対象項目名】全文
【補正方法】変更
【補正の内容】
【特許請求の範囲】
【請求項１】
周方向に周回するとともに、該周方向に複数種の絵柄が付された複数の周回体と、
前記各周回体の周回を開始させるべく操作される開始操作手段と、
前記開始操作手段の操作に基づいて役の抽選を行う抽選手段と、
前記各周回体の周回を個別に停止させるべく操作される複数の停止操作手段と、
前記開始操作手段の操作に基づいて前記各周回体の周回を開始させるとともに、前記停止操作手段の操作に基づいて対応する周回体の周回を停止させるよう前記各周回体を駆動制御する駆動制御手段と、
前記各周回体が周回を停止し、前記役の抽選に当選した当選役と対応する当選絵柄が有効位置に停止した場合、遊技者に特典を付与する特典付与手段と
を備えた遊技機において、
役の抽選結果を示唆する補助演出を行うことが可能な補助演出手段と、
前記開始操作手段と前記各停止操作手段とのうち少なくとも１つの特定操作手段に、前記各周回体の周回を開始させるべく又は対応する周回体の周回を停止させるべく前記特定操作手段を操作されてから特定操作がなされたか否かを判定する特定操作判定手段と、
前記特定操作判定手段が前記特定操作をなされたと判定した場合、前記補助演出手段に前記補助演出を行わせると決定する実行決定手段と
を備えたことを特徴とする遊技機。
【請求項２】
前記各周回体の周回を開始させるべく又は対応する周回体の周回を停止させるべく前記特定操作手段を操作されてから当該特定操作手段を操作された回数を記憶する操作回数記憶手段を備え、前記特定操作判定手段は、前記操作回数記憶手段の記憶する回数が予め定めた複数回となった場合に、前記特定操作がなされたと判定することを特徴とする請求項１に記載の遊技機。
【請求項３】
前記特定操作手段は、前記開始操作手段及び前記各停止操作手段であり、前記操作回数記憶手段は、前記各周回体の周回を開始させるべく前記開始操作手段が操作されてから当該開始操作手段が操作された回数と、前記各停止操作手段のうち周回を停止している周回体と対応する停止操作手段が操作された回数との総和を記憶することを特徴とする請求項２に記載の遊技機。
【請求項４】
次遊技回を開始させるべく前記開始操作手段を操作された場合に限り前記操作回数記憶手段の記憶する回数を初期化する初期化手段を備えたことを特徴とする請求項２又は請求項３に記載の遊技機。
【請求項５】
前記役の抽選結果に基づいて前記補助演出手段に前記補助演出を行わせるか否かを決定する第２実行決定手段と、前記第２実行決定手段が前記補助演出を行わせると決定したことに基づいて前記役の抽選結果を示唆する示唆タイミングを決定する示唆タイミング決定手段と、前記示唆タイミング決定手段の決定した示唆タイミングより前に前記特定操作判定手段が前記特定操作をなされたと判定した場合、前記特定操作のなされたタイミングに基づいて前記役の抽選結果を示唆するよう示唆タイミングを変更する示唆タイミング変更手段と、を備えたことを特徴とする請求項１乃至請求項４のいずれかに記載の遊技機。
【請求項６】
前記役の抽選結果に基づいて、前記各周回体が停止する毎に進行するとともに所定のタイミングで前記役の抽選結果を示唆する第２補助演出を前記補助演出手段に行わせると決定する第２補助演出決定手段と、前記特定操作判定手段が前記特定操作をなされたと判定した場合、次に周回体が停止するよりも前に前記第２補助演出を進行させる第２補助演出進行手段とを備えたことを特徴とする請求項１乃至請求項５のいずれかに記載の遊技機。
【請求項７】
前記役の抽選結果に基づいて前記補助演出手段に前記補助演出を行わせるか否かを決定する第２実行決定手段と、前記第２実行決定手段の決定結果が前記補助演出を行わせない結果であっても、前記特定操作判定手段が前記特定操作をなされたと判定したことに基づいて前記補助演出手段に前記補助演出を行わせる補助演出実行手段と、を備えたことを特徴とする請求項１乃至請求項６のいずれかに記載の遊技機。
【請求項８】
周方向に周回すると共に、該周方向に複数種の絵柄が付された複数の周回体と、
前記各周回体の周回を開始させるべく操作される開始操作手段と、
前記開始操作手段の操作に基づいて役の抽選を行う抽選手段と、
前記各周回体の周回を個別に停止させるべく操作される複数の停止操作手段と、
前記開始操作手段の操作に基づいて前記各周回体の周回を開始させるとともに、前記停止操作手段の操作に基づいて対応する周回体の周回を停止させるよう前記各周回体を駆動制御する駆動制御手段と、
前記各周回体が周回を停止し、前記役の抽選に当選した当選役と対応する当選絵柄が有効位置に停止した場合、遊技者に特典を付与する特典付与手段と
を備えた遊技機において、
役の抽選結果を示唆する補助演出を行うことが可能な補助演出手段と、
前記抽選手段及び前記駆動制御手段を有し、前記役の抽選結果や前記各周回体の周回状況、各停止操作手段の操作状況等に応じて制御信号を出力するメイン制御基板と、
前記制御信号の入力に基づいて前記補助演出手段の駆動制御を行うサブ制御基板と
を備え、
前記サブ制御基板は、
前記開始操作手段と前記各停止操作手段とのうち少なくとも１つの特定操作手段に、前記各周回体の周回を開始させるべく又は対応する周回体の周回を停止させるべく前記特定操作手段を操作されてから特定操作がなされたか否かを判定する特定操作判定手段と、
前記特定操作判定手段が前記特定操作をなされたと判定した場合、前記補助演出手段に前記補助演出を行わせると決定する実行決定手段と
を備えることを特徴とする遊技機。
【請求項９】
前記サブ制御基板は、
前記補助演出手段を駆動させるべく駆動信号を出力する出力処理を行う出力処理手段を有し、電源投入に伴って起動するとともに前記出力処理を含む一連の処理を繰り返し行う第１処理実行手段と、
前記メイン制御基板から出力された制御信号を入力した場合、前記第１処理実行手段による処理に割り込んで前記制御信号を読み込む読み込み処理を行う第２処理実行手段と、
定期的に前記第１処理実行手段による処理に割り込み、所定値を記憶する記憶手段の値を更新する更新処理を行う第３処理実行手段と
を備え、
前記第１処理実行手段は、前記記憶手段の値に基づいて前記出力処理を行うことを特徴とする請求項８に記載の遊技機。
【請求項１０】
前記第１処理実行手段は、前記特定操作判定手段及び前記実行決定手段を含むとともに前記第２処理実行手段の読み込んだ制御信号に基づいて行うべき補助演出を決定する決定処理を行う補助演出決定手段を有し、前記出力処理手段は、前記補助演出決定手段の決定した補助演出を行わせるべく駆動信号を出力することを特徴とする請求項９に記載の遊技機。
【手続補正書】
【提出日】平成21年7月28日(2009.7.28)
【手続補正１】
【補正対象書類名】特許請求の範囲
【補正対象項目名】請求項１
【補正方法】変更
【補正の内容】
【請求項１】
一端と他端とを有し外枠を構成するハウジングと、
該ハウジングの一端近傍に設けられ該外枠を構成するヘッドカバーと、
回転軸を有し該外枠内に配置され該回転軸に攪拌用ファンが設けられたモータと、
該ヘッドカバー内に設けられ該モータを支持すると共に、該ヘッドカバー側空間と該攪拌用ファンが配置された燃焼室側空間とを区画するシリンダヘッドとを備え、
該シリンダヘッドの該モータから離間した部分には、該シリンダヘッド側空間と該燃焼室側空間とを連通する開口部が形成され、該ヘッドカバーには該ヘッドカバー外部と該シリンダヘッド側空間とを連通する吸気口が形成された燃焼式釘打機であって、
該吸気口と該開口部とを結ぶ直線上には、該吸気口から該開口部へと向かう略直線的な空気の流れを阻害し該モータの方向へ空気の流れを指向させるガイドが該吸気口及び該開口部について設けられ、該吸気口に対して該開口部は該ガイドにより遮蔽されていることを特徴とする燃焼式釘打機。
【手続補正２】
【補正対象書類名】明細書
【補正対象項目名】００１６
【補正方法】変更
【補正の内容】
【００１６】
上記課題を解決するために本発明は、一端と他端とを有し外枠を構成するハウジングと、該ハウジングの一端近傍に設けられ該外枠を構成するヘッドカバーと、回転軸を有し該外枠内に配置され該回転軸に攪拌用ファンが設けられたモータと、該ヘッドカバー内に設けられ該モータを支持すると共に、該ヘッドカバー側空間と該攪拌用ファンが配置された燃焼室側空間とを区画するシリンダヘッドとを備え、該シリンダヘッドの該モータから離間した部分には、該シリンダヘッド側空間と該燃焼室側空間とを連通する開口部が形成され、該ヘッドカバーには該ヘッドカバー外部と該シリンダヘッド側空間とを連通する吸気口が形成された燃焼式釘打機であって、該吸気口と該開口部とを結ぶ直線上には、該吸気口から該開口部へと向かう略直線的な空気の流れを阻害し該モータの方向へ空気の流れを指向させるガイドが該吸気口及び該開口部について設けられ、該吸気口に対して該開口部は該ガイドにより遮蔽されている燃焼式釘打機を提供している。
【手続補正３】
【補正対象書類名】明細書
【補正対象項目名】００１７
【補正方法】変更
【補正の内容】
【００１７】
吸気口と開口部とを結ぶ直線上には、ガイドが吸気口及び開口部について設けられ、吸気口に対して開口部はガイドにより遮蔽されているため、吸気口から開口部へと向かう略直線的な空気の流れを阻害しモータの方向へ空気の流れを指向させることができる。このため、外気が吸気口から燃焼室へ空気が直線的に流入せず、モータ近傍を通過してから燃焼室へ流入するので、モータの冷却効率を向上させることができる。
【手続補正書】
【提出日】平成21年7月29日(2009.7.29)
【手続補正１】
【補正対象書類名】明細書
【補正対象項目名】００２３
【補正方法】変更
【補正の内容】
【００２３】
さらに、助触媒としてマグネシウム、カルシウム、チタン、ジルコニウム、バナジウム、ニオブ、クロム、モリブデン、タングステン、マンガン、レニウム、ルテニウム、オスミウム、コバルト、ロジウム、イリジウム、ニッケル、パラジウム、白金、銅、銀、金、亜鉛、ホウ素、アルミニウム、ガリウム、インジウム、ケイ素、ゲルマニウム、スズ、リン、アンチモン、ビスマス、ランタン、プラセオジウム、ネオジウム、サマリウムよりなる群から選ばれる少なくとも１つの酸化物または化合物をそれぞれ触媒の全重量に基づき、０．０００１〜６．０重量％含む。
【手続補正書】
【提出日】平成21年5月12日(2009.5.12)
【手続補正１】
【補正対象書類名】特許請求の範囲
【補正対象項目名】全文
【補正方法】変更
【補正の内容】
【特許請求の範囲】
【請求項１】
遊技用媒体を用いる遊技機であって、
内部に前記遊技用媒体を貯留する媒体貯留部と、
前記遊技機の底部の内側に外周部が連続した溝で形成された隣接する複数の凸部で形成されてなり、前記媒体貯留部が所定の貯留状態のときに該媒体貯留部に貯留される遊技用媒体の少なくとも一部を外部に排出するための排出口を前記遊技機の筐体底面の異なる位置および／または異なる大きさに形成可能な排出口形成部と、
を備える遊技機。
【請求項２】
前記複数の凸部は、複数の平行なリブとして形成されてなることを特徴とする請求項１記載の遊技機。
【手続補正書】
【提出日】平成21年5月12日(2009.5.12)
【手続補正１】
【補正対象書類名】特許請求の範囲
【補正対象項目名】全文
【補正方法】変更
【補正の内容】
【特許請求の範囲】
【請求項１】
遊技用媒体の投入に伴って遊技を行なう遊技機であって、
前記投入された遊技用媒体を貯留する媒体貯留部と、
下部の少なくとも一部に前記遊技用媒体の通過が可能な大きさに形成された貫通孔を有する筐体と該筐体の前記貫通孔の上方より着脱可能に取り付けられ前記貫通孔における前記遊技用媒体の通過を阻害する複数の阻害部材とを有し、前記媒体貯留部からあふれる遊技用媒体を回収する回収箱と、を内部に備える遊技機。
【請求項２】
前記筐体は、該筐体の弾性または前記阻害部材の弾性により前記阻害部材を取り付け固定する取付固定部が形成されてなることを特徴とする請求項１記載の遊技機。
【請求項３】
前記阻害部材は、前記筐体の底部から側面に向けて所定の角度を有するよう取り付けたとき、前記媒体貯留部からあふれる遊技用媒体を前記貫通孔に誘導する誘導部材として機能する部材であることを特徴とする請求項１又は２に記載の遊技機。
【請求項４】
前記筐体の底部は、前記阻害部材を所定の角度を有するよう取り付けたときに該阻害部材の取り付け位置を決める位置決め部が形成されてなることを特徴とする請求項３記載の遊技機。
【請求項５】
前記位置決め部は、複数の位置に前記阻害部材を取り付け可能に形成されてなることを特徴とする請求項４記載の遊技機。
【請求項６】
前記筐体は、底部の中央を含むよう前記貫通孔が形成されてなり、前記阻害部材は、前記貫通孔の上方より着脱可能に取り付けられる２つの板部材により構成されてなることを特徴とする請求項１から５のいずれかに記載の遊技機。
【請求項７】
前記２つの板部材は、前記筐体の底部の略中央から側面に向けて所定の角度を有するよう取り付けられてなることを特徴とする請求項６記載の遊技機。
【請求項８】
遊技用媒体の投入に伴って遊技を行なう遊技機の内部に配置され、前記投入された遊技用媒体を貯留する媒体貯留部からあふれる遊技用媒体を回収するための回収箱であって、
下部の少なくとも一部に前記遊技用媒体の通過が可能な大きさに形成された貫通孔を有する筐体と、
該筐体の前記貫通孔の上方より着脱可能に取り付けられ前記貫通孔における前記遊技用媒体の通過を阻害する複数の阻害部材とを備えることを特徴とする回収箱。